(57)【特許請求の範囲】
【請求項１】
取付本体１０とカバー体１１とで空気が流通する空気室１２を有し、着用具４で身体に装着される装置本体１と、
前記装置本体1の空気室１２内に回転自在に設けられ、その装置本体１が動作することで回転し、前記空気室１２内の空気を撹拌する回転体２と、
前記カバー体１１に、空気室１２内の空気が撹拌されることで薬剤含浸体３ａに空気が触れると共に、揮散した薬剤が大気に拡散するように取付けた薬剤保持体３と、
前記装置本体１と回転体２に取付けられ、当該回転体２の回転によって反発力が生じ、その回転体２が反対方向に回転して回転を助長する第1の磁石５と第２の磁石6を備えていることを特徴とする着用型薬剤拡散装置。
【請求項２】
装置本体１を着用具４に、回転体２の回転方向に揺動可能に連結した請求項１記載の着用型薬剤拡散装置。
【請求項３】
回転体２が回転することで、空気室１２内の空気が撹拌されると共に、その空気室１２内と外部とに亘って空気の流れが生じるようにした請求項１又は２記載の着用型薬剤拡散装置。
【請求項４】
回転体２をシロッコファン形状として回転することでカバー体１１の表面板１１ａ、筒体１１ｂ方向に空気が流れるようにし、
このカバー体１１の筒体１１ｂ内周面に沿ってリング形状の薬剤含浸体３ａを有した薬剤保持体３を取付けた請求項１又は２記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その放出口から放出される空気とともに薬剤保持体の薬剤が大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠ける。
【０００８】
本発明の目的は、モータ、電池を使用せずに多くの薬剤を確実に揮散することができる着用型薬剤拡散装置を提供することである。
【課題を解決するための手段】
【０００９】
第１の発明は、取付本体１０とカバー体１１とで空気が流通する空気室１２を有し、着用具４で身体に装着される装置本体１と、
前記装置本体1の空気室１２内に回転自在に設けられ、その装置本体１が動作することで回転し、前記空気室１２内の空気を撹拌する回転体２と、
前記カバー体１１に、空気室１２内の空気が撹拌されることで薬剤含浸体３ａに空気が触れると共に、揮散した薬剤が大気に拡散するように取付けた薬剤保持体３と、
前記装置本体１と回転体２に取付けられ、当該回転体２の回転によって反発力が生じ、その回転体２が反対方向に回転して回転を助長する第1の磁石５と第２の磁石6を備えていることを特徴とする着用型薬剤拡散装置である。
【００１０】
第２の発明は、第１の発明において、装置本体１を着用具４に、回転体２の回転方向に揺動可能に連結した着用型薬剤拡散装置である。
【００１１】
第３の発明は、第１又は第２の発明において、回転体２が回転することで、空気室１２内の空気が撹拌されると共に、その空気室１２内と外部とに亘って空気の流れが生じるようにした着用型薬剤拡散装置である。
【００１２】
第４の発明は、第１又は第２の発明において、回転体２をシロッコファン形状として回転することでカバー体１１の表面板１１ａ、筒体１１ｂ方向に空気が流れるようにし、
このカバー体１１の筒体１１ｂ内周面に沿ってリング形状の薬剤含浸体３ａを有した薬剤保持体３を取付けた着用型薬剤拡散装置である。
【発明の効果】
【００１３】
請求項１に係る発明によれば、身体を動かすことで装置本体１が動作し、それによって回転体２が回転することで薬剤保持体３の薬剤含浸体３ａから薬剤が揮散し、大気に拡散する。
しかも、回転体２が一方向に回転すると第１の磁石５が第２の磁石６に接近して反発力が生じ、その反発力によって回転体２が他方向に回転し、再び第１の磁石５が第２の磁石６に接して反発力が生じて回転体２が一方向に回転する。
この動作を複数回繰り返すことで、回転体２は複数回往復回転する。
【００１４】
このように装置本体１の動作による回転体２の回転を、第１の磁石５と第２の磁石６とで複数回の往復回転に助長するので、モータ、電池を使用せずに薬剤含浸体３ａから多くの薬剤を確実に揮散して大気に拡散できる。
【００１５】
請求項２に係る発明によれば、身体が動くことで装置本体１は着用具４に対して回転体３の回転方向に揺動するから、身体が動くだけで回転体２が必ず回転し、身体に着用して使用する薬剤拡散装置として好適である。
【００１６】
請求項３に係る発明によれば、回転体２が回転することで空気室１２の空気が撹拌されると共に、外部とに亘って空気が流れるので、その空気が薬剤含浸体３ａに十分に触れると共に、外部にスムーズに流れ、より多くの薬剤を揮散して大気に拡散することができる。
【００１７】
請求項４に係る発明によれば、回転体２の回転によってカバー体１１の表面板１１ａと筒体１１ｂとに亘って空気が流れ、リング状の薬剤含浸体３ａから多くの薬剤が揮散して大気に拡散することができる。
【発明を実施するための最良の形態】
【００１８】
本発明の第１の実施の形態を図１〜図３に基づいて説明する。
装置本体１と、この装置本体１に回転可能に設けた回転体２と、装置本体１に取付けた薬剤保持体３と、前記装置本体１に取付けた着用具４と、前記装置本体１と前記回転体２とに設けられて当該薬剤保持手段２の回転を助長する第１の磁石５、第２の磁石６で着用型薬剤拡散装置としてある。
【００１９】
前記装置本体１は着用具４で人間、動物などの身体に着用される。例えば、人間の腰に吊り下げて着用される。
この装置本体１は、取付本体１０とカバー体１１とで空気室１２を有している。この空気室１２内には外気が流通可能としてある。
前記回転体２は、前記取付本体１０に回転可能に支持され、装置本体１を動作することで回転し、前記空気室１２内の空気が撹拌されるようにしてある。
前記薬剤保持体３は、薬剤有効成分を主成分とする薬剤（薬剤組成物）を含浸した薬剤含浸体３ａを有し、その薬剤含浸体３ａに空気が触れることで前記薬剤が揮散する。
前記薬剤保持体３は、カバー体１１に、前記空気室１２内の空気が撹拌されることで、その薬剤含浸体３ａに空気が触れると共に、揮散した薬剤が大気に拡散するように取付けてある。
【００２０】
前記第１の磁石５は回転体２に取付けてある。前記第２の磁石６は装置本体１、例えば取付本体１０に取付けてあり、その回転体２が一方向に回転すると第１の磁石５が第２の磁石６に接近して反発力が生じるようにしてある。つまり、第１の磁石５と第２の磁石６の同極が対向することで反発力が生じる。
この反発力によって回転体２が他方向に回転し、再び第１の磁石５が第２の磁石６に接して反発力が生じて回転体２が一方向に回転する。
この動作を複数回繰り返しすることで、回転体２は複数回往復回転する。
【００２１】
このように、回転体２が回転することで、空気室１２内の空気が撹拌され、薬剤保持手段３の薬剤含浸体３ａに対して空気が相対的に流動することになるので、多くの薬剤が揮散する。
しかも、第１の磁石５と第２の磁石６とで回転体２の回転が助長されて複数回往復回転するので、装置本体１を僅かに動作することで回転体２が確実に回転する。
したがって、モータ、電池を用いずに薬剤保持体３の薬剤含浸体３ａから多くの薬剤を確実に揮散することができる。
【００２２】
次に、各部の好ましい形態を説明する。
前記装置本体１の取付本体１０に着用具４が取付けてある。
前記着用具４は、フック４ａである。
そして、人間の腰に装着したベルトや、衣服のポケットにフック４ａを引っ掛けて装置本体１を腰に吊り下げて使用する。
前記着用具４は、バンド、紐や鎖などでも良く、ベルト等に吊り下げたり腰や首など身体の一部に巻く付け吊り下げて使用することができる。
【００２３】
この実施の形態では、前記着用具４をフック４ａとすると共に、この着用具４に装置本体１（取付本体１０）を回転体２の回転方向に沿って揺動自在に吊り下げ連結する。例えば、ピン７で揺動自在（首振り自在）に連結する。
【００２４】
このようにすることで、着用具４の人間の腰のベルトに引っ掛けて吊り下げるようにして着用することで、人間が歩行などすることによって着用具４に対して装置本体１が揺動するので、回転体２が回転する。
したがって、回転体２が確実に連続して回転するので、より多くの薬剤を揮散することができる。
【００２５】
前記カバー体１１に空気流通部１３が形成してある。
この空気流通部１３によって空気室１２が外部に連通し、その空気室１２に空気が流通する。
前記カバー体１１は取付本体１０に着脱自在に取付けてある。
例えば、前記取付本体１０は、プレート１０ａにリング状の突部１０ｂを設けた形状とし、前記カバー体１１を表面板１１ａと筒体１１ｂを有し、その筒体１１ｂが突部１０ｂに嵌合して取付けられる。
【００２６】
この実施の形態では、カバー体１１の表面板１１ａに、薬剤保持体取付用の開口部１３ａが形成されていると共に、筒体１１ｂにスリット状の開口部１３ｂが複数形成され、この開口部１３ｂで空気流通部１３としてある。
【００２７】
前記薬剤含浸体３ａは、薬剤有効成分を主成分とする薬剤（薬剤組成物）を含浸した不織布などの通気性のシートとしてある。
前記薬剤保持体３は、通気用開口３０を有した容器３１に薬剤含浸体３ａを入れ、通気用開口３２を有した押えプレート３３を容器３１に嵌合してある。
前記容器３１をカバー体１１の開口部１３ａ内に嵌合して着脱自在に取付けてある。
【００２８】
このようであるから、カバー体１１を取付本体１０から取り外し、そのカバー体１１から薬剤保持体３を取り外して、新しい薬剤保持体３を取付けた後に、そのカバー体１１を取付本体１０に取付けることで、薬剤保持体３を交換できる。
【００２９】
前記回転体２は回転することで空気室１２内の空気を撹拌し、空気室１２内に空気が出入りするようにしてある。
例えば、前記回転体２は、円板状の中央プレート２０とリング状の外周プレート２１を放射状の複数のリブ２２で一体的に連結した複数の通気用開口部２３を有した円板形状で、その中央プレート２０に回転軸２４が取付けてあると共に、前記各リブ２２に羽根片２５が設けてある。
前記装置本体１の取付本体１０の中央部には孔１４が形成してあり、この孔１４に前記回転軸２４を回転自在に挿入して支持することで回転体２を取付本体１０に回転可能に取付けてある。
【００３０】
前記第１の磁石５は回転体２の外周プレート２１の裏面（回転体２の裏面）に、前記取付本体１０と対向して固着してある。
前記第２の磁石６は取付本体１０に、前記回転体２の外周プレート２１と対向して固着してある。
この第１の磁石５と第２の磁石６は前記回転体２の回転中心（回転軸２４）を中心とする同一の円形軌跡上に位置し、回転体２が図３で一方向（矢印ａ）に回転すると第１の磁石５が第２の磁石６に接近して反発力が生じ、その反発力で回転体２が他方向（矢印ｂ）に回転する。
【００３１】
前記着用具４に取付本体１０をボルト等で固着しても良いし、着用具４と取付本体１０を一体としても良い。
前記着用具４にカバー体１１を前述のように取付け、又は一体としても良い。
前記薬剤保持体３は、容器３１の代わりに、不織布よりなる薬剤含浸体３ａの外周を２枚の枠で挟み固定したものでも良い。
【００３２】
また、薬剤は有効成分の他に、溶剤、揮散調整剤、分解防止剤などからなる液製剤である。
本発明の薬剤拡散装置は、薬剤（有効成分）の拡散状況が着用者の動作状態及び使用の環境によって左右され不規則である。このことから、薬剤含浸体３ａは有効成分の有無（効力の有無）を目視で確認できる製剤が好ましい。
製剤としては、薬剤として終点表示機能剤を添加した組成物とし、色変化などを目視する。
また、それ自体が表示機能を有する素材を用いることもできる。
製剤種として液剤に限定されず、ゲル化剤によるゲル製剤、昇華剤などからなる固体製剤などとして用いることもできる。製剤自体が減少、又は消滅し、目視で確認できる製剤が好ましい。
また、液剤と含浸物質を組み合わせ、液の減少を目視確認するようにしても良い。
【００３３】
前記第２の磁石６はカバー体１１に取付けても良い。
また、前記回転体２の第１の磁石５の取付位置としては、その裏面の外周寄り、又は回転体２の外周面、又は回転体２の表面の外周よりが好ましい。一方、取付本体１０、又はカバー体１１の第２の磁石６は、第１の磁石５に対向する取付本体１０の表面の外周寄り、又は取付本体１０の外周面内側、カバー体１１内の外周面、又はカバー体１１内の天面に取付ける。
【００３４】
前記第１・第２の磁石５，６の取付け個数は、特に限定されない。
通常、回転体２（薬剤含浸体２ａ）が回転する往復距離（円周の長さ）が長くなるほど空気が撹拌されて多くの薬剤が揮散することから、磁石の取付け個数は各々１つが好ましい。また動作状態によるが、回転する往復距離が長くなると回転途中で反転することもあり、この場合、各々２つ取付ける、又は一方を１つ、他方を２つ取り付けるようにしても良い。このことから回転する往復距離（回転体２の外径寸法）に応じて取付け個数を決めることが望ましい。
【００３５】
前記回転体２は、その裏面に中央から四方に向けて複数の羽根片２５（８枚）を有する形状であるが、この羽根片２５は回転体２の裏面、外周面、又は裏面と表面などに取付けても良いし、この羽根片２５の枚数は限定されない。また、羽根片２５の形状は自由であり、垂直形状、斜めに傾いた形状や湾曲した形状、更には通常のファン形状とすることもできる。
例えば、円板の表面に複数の羽根片を放射状に設けた回転体、円板の外周面に複数の羽根片を放射状に設けた回転体、羽根片を中心から外周に向けて直線状ではなく湾曲させた回転体、回転体をプロペラファンとしたもの、回転体をシロッコファンとしたもの等、任意な形状の回転体とすることができる。
【００３６】
次に、本発明の第２の実施の形態を図４、図５に基づいて説明する。
装置本体１の取付本体１０とカバー体１１を取り外しできないように連結し、そのカバー体１の開口部１３ａに薬剤保持体３を嵌合して着脱自在に取付ける。
例えば、カバー体１１の表面板１１ａにおける開口部１３ａの周縁に複数のピン１５を取付け、薬剤保持体３の容器３１にフランジ３４を設け、このフランジ３４に形成した孔３４ａを前記ピン１５に嵌合して薬剤保持体３を着脱自在に取付ける。
【００３７】
前記カバー体１１の表面板１１ａに開口部１３ａと連続した切欠部１３ｃを形成し、この切欠部１３ｃで空気室１２を外部に連通して空気流通部１３とする。
第１の磁石５は回転体２の表面に取付けられ、第２の磁石６はカバー体１１（筒体１１ｂの内周面）に取付けてある。
前記着用具４は紐４ｂで、取付本体１０の孔１６に挿通してある。
【００３８】
次に、本発明の第３の実施の形態を図６、図７に基づいて説明する。
装置本体１のカバー体１１を、表面板１１ａと筒体１１ｂを有すると共に、その筒体１１ｂの表面板１１ａと反対側に裏面に開口した取付用開口部１７を有し、かつ筒体１１ｂに着用具取付片１８を一体的に設ける。
この着用具取付片１８に着用具４を取付ける。例えば、フック４ａをピン７で回転体２の回転方向に揺動自在に取付ける。
【００３９】
前記回転体２は取付本体１０に回転自在に取付ける。この回転体２は中央の円板２６に羽根片２５を放射状に複数取付けたもので、その円板２６に回転軸２４を取付け、その回転軸２４を取付本体１０の孔１４に回転自在に支持してある。
前記第１の磁石５は羽根片２５に取付けてある。
前記第２の磁石６は取付本体１０に取付けてある。
前記取付本体１０は、前記カバー体１１の取付用開口１７に嵌合して着脱自在に取付けられる。
前記薬剤保持体３は、薬剤含浸体３ａの周囲に取付用のリング３５を設けたもので、そのリング３５をカバー体１１の開口部１３ａに嵌合して取付けてある。
【００４０】
このようであるから、カバー体１１の取付用開口１７から取付本体１０を抜き出して取り外しすることで、その取付用開口部１７から薬剤保持体３を抜き出してカバー体１１から取り外しできるし、新しい薬剤保持体３を取付用開口部１７から挿入して表面板１１ａの開口部１３ａにリング３５を嵌合して取付けできる。
【００４１】
次に、本発明の第４の実施の形態を図８、図９に基づいて説明する。
前記回転体２をシロッコファン形状とし、取付本体１０に回転自在に取付けてある。
このようにすることで、回転体２が回転することで空気室１２内の空気が撹拌されると共に、カバー体１１の表面板１１ａと筒体１１ｂとに亘って空気が流れる。
前記薬剤保持体３をリング形状の薬剤含浸体３ａを有するものとし、カバー体１１の筒体１１ｂの内周面に沿って設ける。
これによって、前述の空気の流れによって薬剤含浸体３ａの薬剤がより効率良く揮散することができる。
【００４２】
前記着用具４は、身体に巻きつけて着用するものとしてある。
例えば、装置本体１の取付本体１０に一側バンド４０と他側バンド４１を一体的に設け、その一側バンド４０と他側バンド４１に相互に係着、離脱する雄テープ片４２、雌テープ片４３を取付ける。
そして、一側バンド４０と他側バンド４１を身体（腕など）に巻きつけて雄テープ片４２と雌テープ片４３を係着することで取付する。
前記一側バンド４０、他側バンド４１は取付本体１０に一体的に設けてあるが、別体としてピン等を利用して回動自在に連結するようにしても良い。
また、雄テープ片４２、雌テープ片４３の代わりにバックルタイプとしても良い。
【００４３】
次に、本発明の第５の実施の形態を図１０、図１１に基づいて説明する。
この実施の形態は、カバー体１１の外表面に薬剤保持体３０を取付けるようにしたものである。
前記カバー体１１の表面板１１ａに薬剤取付部、例えば複数の開口部１３ａを形成し、この薬剤保持体３を開口部１３ａに掛け止めして取付ける。
この場合には、薬剤保持体３を装飾形状とすることが好ましい。
【００４４】
回転体２はプロペラファン形状としてある。例えば、回転板２７にプロペラ２８を放射状に複数取付けた形状とし、その回転板２７に回転軸２４を取付ける。
この回転軸２４を取付本体１０の孔１４に回転自在に支承する。
【００４５】
前述の各実施例の回転体２の形状、薬剤保持体３の取付け方、着用具４の形状は、図示の組み合わせに限ることはなく、任意に組み合わせることができる。
例えば、第１の実施の形態の回転体２を、シロッコファン形状、プロペラファン形状とする。
また、第１の実施の形態の着用具４を、バンドタイプとする。
【００４６】
前述の各実施の形態において、回転体２をさらに効率良く回転させるために、ベアリングを介在させて回転軸２４を孔１４に支持するようにしても良い。
また、回転軸２４を装置本体１側に回転自在に支持し、その回転軸２４に回転体２の孔を嵌合して取付けることもできる。
また、薬剤保持体３、装置本体１の形状について円形に限定されない。また、薬剤保持体３と装置本体１の形状を同形状でなく異形状にしても良い。異形状にすることで空気の撹拌を高めることもできる。
【図面の簡単な説明】
【００４７】
【図１】本発明の第１の実施の形態を示す全体正面図である。
【図２】図１のＡ−Ａ断面図である。
【図３】取付本体に回転体を取付けた状態の正面図である。
【図４】本発明の第２の実施の形態を示す全体正面図である。
【図５】図４のＢ−Ｂ断面図である。
【図６】本発明の第３の実施の形態を示す全体正面図である。
【図７】図６のＣ−Ｃ断面図である。
【図８】本発明の第４の実施の形態を示す全体平面図である。
【図９】図９のＤ−Ｄ断面図である。
【図１０】本発明の第５の実施の形態を示す全体正面図である。
【図１１】図１０のＥ−Ｅ断面図である。
【符号の説明】
【００４８】
１…装置本体、２…回転体、３…薬剤保持体、３ａ…薬剤含浸体、４…着用具、５…第１の磁石、６…第２の磁石、１０…取付本体、１１…カバー体、１２…空気室。
【図１】
0004915944.tif 000002
【図２】
0004915944.tif 000003
【図３】
0004915944.tif 000004
【図４】
0004915944.tif 000005
【図５】
0004915944.tif 000006
【図６】
0004915944.tif 000007
【図７】
0004915944.tif 000008
【図８】
0004915944.tif 000009
【図９】
0004915944.tif 000010
【図１０】
0004915944.tif 000011
【図１１】
0004915944.tif 000012